(57)【要約】【課題】１つのミラー群による構成で、光源ユニットから射出された複数の光及びミラーの間隔をより狭くしつつ、平行光を形成することができるプロジェクタを提供する。【解決手段】複数の光源ユニット１をマトリックス状に配置した光源ユニット群２と、光源ユニット群から射出された複数の光１３の進行方向に配置され、複数の光の第１方向Ｘの間隔を狭くしつつ光源ユニット群から射出された複数の光を反射部３２で反射する反射ミラー３１が、複数の光の第２方向の間隔を狭くするよう、階段状に複数個配置されたミラー群３と、反射ミラーで反射された反射光１４の進行方向に配置され、反射ミラーで反射して互いに異なる進行方向に進行する複数の反射光１４を平行にするシリンドリカルレンズ５１とを備え、反射ミラーの反射部は、反射させる第２方向の光が互いに近接するよう、第２方向に複数段に折り曲げられて配置されている。【選択図】図１
2017173717.tif 000002
【特許請求の範囲】
【請求項１】
複数の光源ユニットをマトリックス状に配置した光源ユニット群と、
前記光源ユニット群から射出された複数の光の進行方向に配置され、前記複数の光の第１方向の間隔を狭くしつつ前記光源ユニット群から射出された前記複数の光を反射部で反射する反射ミラーが、前記複数の光の第２方向の間隔を狭くするよう、階段状に複数個配置されたミラー群と、
前記反射ミラーで反射された反射光の進行方向に配置され、前記反射ミラーで反射して互いに異なる進行方向に進行する複数の反射光を平行にするシリンドリカルレンズとを備え、
前記反射ミラーの前記反射部は、前記反射させる前記第２方向の光が互いに近接するよう、前記第２方向に複数段に折り曲げられて配置されている、
プロジェクタ。
【請求項２】
前記反射ミラーは、前記光を反射させる反射部が、屈曲状態で互いに連結された複数の平面で構成されている、
請求項１に記載のプロジェクタ。
【請求項３】
前記シリンドリカルレンズの入射側の集光位置に前記各反射部からの反射光が集光するように、前記各反射部の折り曲げ角が設定されている、
請求項１又は２に記載のプロジェクタ。
【請求項４】
前記シリンドリカルレンズは１つ備えられて、前記シリンドリカルレンズから距離が異なる前記反射ミラーの前記反射部の折り曲げ角が互いに異なるように配置されている、
請求項１〜３のいずれか１つに記載のプロジェクタ。
【請求項５】
前記反射部の折り曲げ角が互いに全て同じである、
請求項１〜３のいずれか１つに記載のプロジェクタ。
【請求項６】
各反射ミラーの１つの反射部に対して複数個の光源ユニットからの光を反射させるように配置している、
請求項１〜５のいずれか１つに記載のプロジェクタ。
【発明の詳細な説明】
【技術分野】
【０００１】
本開示は、１つのミラー群を用いて複数の光源から射出される光の第１方向及び第２方向の間隔を狭めて略平行にした光束である平行光を得るプロジェクタに関する。
【背景技術】
【０００２】
特許文献１は、短冊状のミラーが階段状に配置されたミラー群を２つ用いて、平面上に配列された光源群から射出された複数の光の行方向と列方向との間隔をそれぞれ狭めることを開示する。
【先行技術文献】
【特許文献】
【０００３】
【特許文献１】特開２０１１−１３３１７号公報
【発明の概要】
【発明が解決しようとする課題】
【０００４】
本開示は、１つのミラー群による構成で、光源ユニットから射出された複数の光及び反射ミラーの間隔をより狭くしてプロジェクタ全体の小型化を図りつつ、平行光を形成するプロジェクタを提供する。
【課題を解決するための手段】
【０００５】
本開示におけるプロジェクタは、複数の光源ユニットをマトリックス状に配置した光源ユニット群と、
前記光源ユニット群から射出された複数の光の進行方向に配置され、前記複数の光の第１方向の間隔を狭くしつつ前記光源ユニット群から射出された前記複数の光を反射部で反射する反射ミラーが、前記複数の光の第２方向の間隔を狭くするよう、階段状に複数個配置されたミラー群と、
前記反射ミラーで反射された反射光の進行方向に配置され、前記反射ミラーで反射して互いに異なる進行方向に進行する複数の反射光を平行にするシリンドリカルレンズとを備え、
前記反射ミラーの前記反射部は、前記反射させる前記第２方向の光が互いに近接するよう、前記第２方向に複数段に折り曲げられて配置されている。
【発明の効果】
【０００６】
本開示におけるプロジェクタは、１つのミラー群による構成で、光源ユニットから射出された複数の光及び反射ミラーの間隔をより狭くしてプロジェクタ全体の小型化を図りつつ、平行光を形成することができる。
【図面の簡単な説明】
【０００７】
【図１】実施の形態１にかかるプロジェクタの上面図
【図２】実施の形態１にかかるプロジェクタの正面図
【図３】実施の形態１にかかるプロジェクタの隣接する光源ユニットの説明図
【図４Ａ】実施の形態１にかかるプロジェクタの反射ミラーの斜視図
【図４Ｂ】実施の形態１の変形例にかかるプロジェクタの反射ミラーにおいて光源ユニットから射出された光を反射する状態を説明するための説明図
【図５】実施の形態１にかかるプロジェクタのシリンドリカルレンズの配置図
【図６Ａ】実施の形態１にかかるプロジェクタにおいて光源ユニットが２列３行に配置されている場合の平面図
【図６Ｂ】実施の形態１にかかるプロジェクタにおいて光源ユニットが２列３行に配置されている場合の正面図
【図７Ａ】実施の形態１にかかるプロジェクタにおいて光源ユニットが３列４行に配置されている場合の正面図
【図７Ｂ】実施の形態１にかかるプロジェクタにおいて光源ユニットが３列４行に配置されている場合の平面図
【図８Ａ】実施の形態１の変形例にかかるプロジェクタにおいて光源ユニットが３列４行に配置されている場合の正面図
【図８Ｂ】実施の形態１の変形例にかかるプロジェクタにおいて光源ユニットが３列４行に配置されている場合の平面図
【図９】実施の形態１の変形例にかかるプロジェクタにおいて反射ミラーの反射部のそれぞれに対して２つの光が反射される場合の正面図
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、発明者（ら）は、当業者が本開示を十分に理解するために添付図面および以下の説明を提供するのであって、これらによって特許請求の範囲に記載の主題を限定することを意図するものではない。
【００１０】
（実施の形態１）
以下、図１〜図９を用いて、実施の形態１を説明する。
【００１１】
［１−１．構成］
図１は、実施の形態１にかかるプロジェクタ９の上面図であり、図２は、実施の形態１にかかるプロジェクタ９の正面図である。プロジェクタ９は、光源ユニット群２と、１つのミラー群３と、シリンドリカルレンズ５１とを備える。そして、プロジェクタ９は、光源ユニット群２から射出する複数の光１３の第１方向（行方向）Ｘ及び第２方向（列方向）Ｙの間隔を狭め、複数の反射光１４を略平行にした光束である平行光５２を射出する。
【００１２】
［１−１−１．光源ユニット群］
光源ユニット群２は、複数の光源ユニット１を、第１方向Ｘと第２方向Ｙとで構成されるＸＹ平面上に等間隔にマトリックス状に配置して、ＸＹ平面と直交する第３方向Ｚ沿いに光１３を射出する。
【００１３】
各光源ユニット１は、例えば、図３に示すように、光１３を射出するレーザ光源１１と、射出された光１３の発散角を制限して平行光に近づけるためのレンズ１２とで構成されている。レンズ１２は、一例として、コリメートレンズが使用できる。このレンズ１２により、光１３が第１ミラー群３に入射する前、第１方向Ｘに隣り合う光１３同士が互いに重なり合わないようにしている。これについて、以下に説明する。
【００１４】
複数の光源ユニット１は、第３方向Ｚに複数の光１３を平行に射出する。光１３は、発散角θｘで発散するため、進行するに従い径が大きくなる。そのため、光１３がミラー群３で全て反射されるために、光源ユニット１の間隔Ｃｘと反射ミラー３１のサイズを、進行したときの光１３の径Ｄｘに基づいて設計する必要がある。
【００１５】
光１３の径Ｄｘは、光源ユニット１の発散角θｘで徐々に大きくなる。光源ユニット１から第１ミラー群３までの距離を距離Ｂｘと仮定すると、光源ユニット１の径Ｄｘは射出面の幅Ａｘと発散角θｘから数式１のようになる。また、光源ユニット１の径Ｄｘは、光源ユニット１の第１方向Ｘの間隔Ｃｘと数式１の関係を満たす必要がある。
（数１）
Ｄｘ＝Ａｘ＋２Ｂｘ×tanθｘ
Ｄｘ＜Ｃｘ
数式１を満たすと、隣接する光１３が反射ミラー３１の手前で重なることはない。また、反射ミラー３１のサイズを、光１３の径Ｄｘを反射可能な大きさにする。
【００１６】
［１−１−２．ミラー群］
ミラー群３は、光源ユニット群２から射出された複数の光１３の進行方向すなわち第３方向Ｚに配置されている。ミラー群３は、複数の光１３の第２方向Ｙの間隔を狭くするよう折り曲げられた短冊状の反射ミラー３１が、第２方向Ｙとは直交する光１３の第１方向Ｘの間隔を狭くするように階段状に複数個配置されている。
【００１７】
図４Ａに示すように、各反射ミラー３１は、複数の光１３の間隔が第２方向Ｙで近接するよう、第２方向Ｙに複数段に折り曲げられている。一例として、図４Ａでは、長方形の板状の２つの反射ミラー３１がそれぞれ中央で二段に折り曲げられて、屈曲状態で互いに連結された上側反射面３２ａ、下側反射面３２ｂが、光１３を反射する反射部３２として機能する。
【００１８】
すなわち、図４Ａに示すように、反射ミラー３１は、光１３をそれぞれ反射させる反射部３２として、上側反射面３２ａと、上側反射面３２ａに対して折り曲げられた下側反射面３２ｂとを有して、それぞれ異なる１つの光源ユニット１から射出された１つの光１３を反射している。上側反射面３２ａ及び下側反射面３２ｂは、ＹＺ平面において第２方向Ｙに対して折り曲げ角θｆで傾いている。２つの反射ミラー３１において、上側反射面３２ａ同士は互いに平行に配置され、下側反射面３２ｂ同士も互いに平行に配置されている。図４Ａにおいて、スポット１３ｓは、上側反射面３２ａと下側反射面３２ｂとにそれぞれ１つの光１３が入射して反射される位置であり、１つの円形スポットとして示している。
【００１９】
反射ミラー３１の上側反射面３２ａ及び下側反射面３２ｂの折り曲げ角θｆは、集光するポイント（集光位置）５５又はシリンドリカルレンズ５１に向けて、光１３が反射できるように設定する。ここで、折り曲げ角θｆとは、図４Ａに示すように、鉛直方向に対する上側反射面３２ａの傾斜角度、又は、鉛直方向に対する下側反射面３２ｂの傾斜角度とする。
【００２０】
図１及び図２では、光源ユニット群２の２列２行の４つの光源ユニット１から、４つの光１３が、ＸＹ平面と直交する第３方向Ｚにある２つの反射ミラー３１へ向かって射出されている。図１に示すように、第３方向Ｚに対して４５度の角度で各反射ミラー３１が配置されている。そして、第３方向Ｚ沿いの上側の２つの光１３が２つの反射ミラー３１の上側反射面３２ａで第１方向Ｘの左向きに反射されて、互いに平行な反射光１４ａとなっている。また、第３方向Ｚ沿いの下側の２つの光１３も２つの反射ミラー３１の下側反射面３２ｂで第１方向Ｘの左向きに反射されて、互いに平行な反射光１４ｂとなっている。
【００２１】
詳しくは、図１に示すように、上から見たＸＺ平面においては、隣接する反射ミラー３１の上側反射面３２ａ同士は互いに平行にかつ第３方向Ｚに対して４５度の傾斜角度で配置されているため、それぞれ異なる光源ユニット１から第３方向Ｚ沿いに射出された光１３は、上側反射面３２ａでそれぞれ反射され、その反射光１４ａは、平行光として、シリンドリカルレンズ５１の光軸５３沿いにシリンドリカルレンズ５１に入射する。同様に、隣接する反射ミラー３１の下側反射面３２ｂ同士も互いに平行にかつ第３方向Ｚに対して４５度の傾斜角度で配置されているため、それぞれ異なる光源ユニット１から第３方向Ｚ沿いに射出された光１３ｂは、下側反射面３２ｂでそれぞれ反射され、その反射光１４は、平行光として、シリンドリカルレンズ５１に入射する。
【００２２】
一方、図２に示すように、正面から見たＸＹ平面においては、隣接する反射ミラー３１の上側反射面３２ａ同士は互いに平行に配置されているため、それぞれ異なる光源ユニット１から第３方向Ｚ沿いに射出された光１３は、上側反射面３２ａでそれぞれ反射され、その反射光１４ａは、互いに平行光でかつシリンドリカルレンズ５１の光軸５３に対してある傾斜角度でシリンドリカルレンズ５１に入射する。同様に、隣接する反射ミラー３１の下側反射面３２ｂ同士は互いに平行に配置されているため、それぞれ異なる光源ユニット１から第３方向Ｚ沿いに射出された光１３は、下側反射面３２ｂでそれぞれ反射され、その反射光１４ｂは、互いに平行光でかつシリンドリカルレンズ５１の光軸５３に対してある傾斜角度でシリンドリカルレンズ５１に入射する。
【００２３】
折り曲げ角の具体的な数値例としては、０°より大きく〜４５°より小さい範囲とし、より具体的な例としては、１０°〜３０°とする。
【００２４】
仮に、比較のため、ミラー群３を複数個の階段状の反射ミラー３１で構成するのではなく、１枚の湾曲した反射面を持つ反射ミラーで構成する場合を考えてみる。この場合、光源ユニット１からの光１３を湾曲反射面で反射させてシリンドリカルレンズ５１に集光させると、シリンドリカルレンズ５１の光軸に対して、全ての反射光は第１方向及び第２方向の両方について何らかの傾斜角度を持ち、第１方向Ｘと第２方向Ｙとの両方向において光軸沿いの均一な平行光を形成することが困難となる。
【００２５】
これに対して、実施の形態１では、第３方向Ｚに対して４５度の角度で各反射ミラー３１の上側反射面３２ａ及び下側反射面３２ｂが配置されているため、反射ミラー３１の第１方向Ｘと第２方向Ｙとのうちの一方向（例えば、図１の第１方向Ｘ）はシリンドリカルレンズ５１の光軸沿いの平行光となる。よって、プロジェクタ９は、光源ユニット１からの光１３を反射部３２の例えば上側反射面３２ａ又は下側反射面３２ｂでそのまま反射させて、平行光としてシリンドリカルレンズ５１に入射させることができる。
【００２６】
図２に示すように、反射光１４は、第２方向Ｙに対して折り曲げ角θｆで傾斜した上側反射面３２ａ及び下側反射面３２ｂでシリンドリカルレンズ５１に向けて反射させられるため、光軸に対して傾斜角度がついてシリンドリカルレンズ５１に入射することになり、シリンドリカルレンズ５１を使って平行光にしている。よって、実施の形態１では、第１方向Ｘと第２方向Ｙとの両方向において平行である平行光５２を形成することができる。
【００２７】
なお、各反射部３２での反射は、１つの光１３に限らず、複数の光１３を反射させるようにしてもよい。例えば、図４Ｂに示すように、反射ミラー３１は、光１３をそれぞれ反射させる反射部３２として、第２方向Ｙに対して折り曲げ角θｆで傾いている上側反射面３２ａと下側反射面３２ｂとを有して、それぞれ異なる２つの光源ユニット１から射出された２つの光１３を１つの上側反射面３２ａ又は下側反射面３２ｂで同時に反射するように配置してもよい。図４Ｂでは、上側反射面３２ａと下側反射面３２ｂとにそれぞれ２つの光１３が入射した位置を２つの円形のスポット１３ｓとして示している。
【００２８】
このように、短冊状の反射ミラー３１において、光源ユニット１からの光１３が照射される反射部３２を選択的に折り曲げることで、光１３の第１方向Ｘの間隔を狭めることができる。また、ミラー群３は、複数の反射ミラー３１が階段状に配置されているため、光１３の第１方向Ｘの間隔を狭くすることができる。ゆえに、１つのミラー群３で第１方向Ｘの間隔及び第２方向Ｙの間隔を同時に狭めることができる。なお、反射ミラー３１の折り曲げ角θｆ又は配置間隔を調整することで、後述する平行光５２において所望の光径を得ることができる。
【００２９】
［１−１−３．シリンドリカルレンズ］
図１及び図２では、シリンドリカルレンズ５１は、反射ミラー３１で反射された反射光１４の進行方向（第１方向Ｘ）に１つ配置され、さらに、光軸が第１方向Ｘ沿いに配置されている。シリンドリカルレンズ５１は、ＸＺ平面での断面が矩形で、ＸＹ平面での断面が反射光１４の進行方向に曲面を有する。よって、シリンドリカルレンズ５１は、反射ミラー３１で反射して互いに異なる進行方向（図２で第１方向Ｘに対して傾斜した方向）で進行する複数の反射光１４を互いに平行にして、複数の反射光１４の光束である平行光５２とすることかできる。
【００３０】
図５に示すように、シリンドリカルレンズ５１は、ミラー群３による反射光１４の集光位置５５からシリンドリカルレンズ５１の焦点距離Ｆだけ離れた位置に配置している。ここで、光軸５３に対する反射光１４の傾斜角度をθｒとし、平行光５２の半径をｄとすると、数式１の関係が成立する。
（数１）
tanθｒ＝ｄ／Ｆ
このように、シリンドリカルレンズ５１の入射側の集光位置５５に、各反射ミラー３１の各反射部３２からの反射光１４が集光するように各反射部３２の折り曲げ角θｆを設定して傾斜角度θｒを調整している。このように構成すれば、反射部３２の折り曲げ角θｆを調整することで、集光位置５５に反射光１４が集まり、シリンドリカルレンズ５１で必要な半径ｄの平行光５２を形成することができる。
【００３１】
シリンドリカルレンズ５１は、１個に限定されるものではなく、実施の形態１の変形例として、以下の配置例で説明するように複数個配置してもよい。
【００３２】
［１−１−４．配置］
以下に、プロジェクタ９のより具体的な配置例を示している。
【００３３】
まず、図６Ａ及び図６Ｂに示すように、光源ユニット１が２列３行に配置されている場合、２つの反射ミラー３１の各３つの反射部３２から反射した反射光１４は全て集光位置５５を経て、その進行方向前側に位置する１つのシリンドリカルレンズ５１に集光されて、平行光５２となっている。なお、各反射ミラー３１の中央の反射部３２は、Ｙ方向において、シリンドリカルレンズ５１の光軸５３沿いに配置されて、θｒは０度なっている。
【００３４】
また、図７Ａ及び図７Ｂに示すように、光源ユニット１が３列４行に配置されている場合であって、３つの反射ミラー３１の各４つの反射部３２から反射した反射光１４は全て１つの集光位置５５を経て、その進行方向前側に位置する１つのシリンドリカルレンズ５１に集光されて、平行光５２となっている。言い換えれば、１つのシリンドリカルレンズ５１に対して３つの反射ミラー３１が配置されており、１つのシリンドリカルレンズ５１から距離が異なる反射ミラー３１の４つの反射部３２は、各々折り曲げ角θｆが異なっており、同一軸上の集光位置５５に集光するように、反射部３２毎に折り曲げ角θｆが決められている。
【００３５】
図７Ｂは、図７Ａの反射ミラー３１の４つの反射部３２のうちの最上部又は最下部の反射部３２を通る平面で見たプロジェクタの概略平面図を示す。図７Ｂにおいて、３つの反射ミラー３１は、それぞれ、１つのシリンドリカルレンズ５１から距離が異なるため、１つのシリンドリカルレンズ５１に対する３つの反射ミラー３１の折り曲げ角θｆが異なって例えば、シリンドリカルレンズ５１から遠い反射ミラー３１に対してシリンドリカルレンズ５１に近い反射ミラー３１は、鉛直方向沿いから傾きが大きく折り曲げ角θｆが大きいため、反射部３２の厚みが大きくなっている。
【００３６】
このように、１つのシリンドリカルレンズ５１から距離が異なる複数の反射ミラー３１の折り曲げ角θｆが互いに異なるように設定されているので、全ての光源ユニット１からの光１３を複数の反射ミラー３１の反射部３２でそれぞれ異なる角度で集光位置５５に向けて反射させて集光させたのち、１つのシリンドリカルレンズ５１に入射させて平行光にすることができる。このような配置例では、シリンドリカルレンズ５１は１個でよいため、プロジェクタ全体としての構成は簡単なものとすることができる。
【００３７】
これに対して、図８Ａ及び図８Ｂに示すように、光源ユニット１が３列４行に配置されている場合であって、３つの反射ミラー３１の各４つの反射部３２から反射した反射光１４はそれぞれの集光位置５５を経て、その進行方向前側にそれぞれ位置する合計３つのシリンドリカルレンズ５１にそれぞれ入射されて、平行光５２となっている。言い換えれば、３つの反射ミラー３１のそれぞれの反射ミラー３１に対して１つのシリンドリカルレンズ５１を配置しており、それぞれのシリンドリカルレンズ５１から距離が同じ位置にある反射ミラー３１の反射部３２の折り曲げ角θｆを同じに設定して、同一軸上の１つの集光位置５５に反射光１４が集光しない例を示している。ここでは、１つの反射ミラー３１に対して１つのシリンドリカルレンズ５１を１組として、３組を光軸上に所定距離だけずらせて配置した例である。よって、３つの反射ミラー３１のそれぞれの反射部３２の折り曲げ角θｆは同じとしている。
【００３８】
このように、複数の反射ミラー３１の反射部３２の折り曲げ角θｆが互いに全て同じに配置する場合には、各反射ミラー３１に対応したシリンドリカルレンズ５１を個々に配置すればよい。このような配置例では、複数の反射ミラー３１の反射部３２の折り曲げ角θｆが互いに全て同じであるため、反射ミラー３１の構成及び配置が簡単なものとすることかできる。
【００３９】
また、１つの反射部３２で光源ユニット１から１つの光１３を反射するものに限らず、１つの反射部３２で光源ユニット１からの２つの光１３を反射させる配置例として、以下に例示する。図９に示すように、光源ユニット１の配置が等間隔でなく、光源ユニット１の一部、例えば、上下方向に隣接する２つの光源ユニット１が近接して配置されている場合には、近接して配置されている２つの光源ユニット１からの２つの光１３を、反射ミラー３１の１つの反射部３２で反射させるように構成する。すなわち、各反射ミラー３１の１つの反射部３２に対して複数個の光源ユニット１からの光１３を反射させるように配置すれば、光源ユニット１に対する反射部３２の個数を少なくすることができて、プロジェクタ全体として小型化が図れるとともにコストダウンが可能となる。
【００４０】
［１−２．動作］
以上のように構成されたプロジェクタ９は、図１〜図２に示すように、光源ユニット群２の各光源ユニット１から光１３が第３方向Ｚに射出する。射出された複数の光１３は、ミラー群３の各反射ミラー３１の反射部３２によりそれぞれ９０度反射されて、第１方向Ｘに反射光１４として反射される。反射光１４は、シリンドリカルレンズ５１で平行光５２にされて、プロジェクタ９の映像光として射出される。
【００４１】
ここで、プロジェクタ９は、一点に集光した１本の線状の光線を射出するのではなく、ある所定の範囲、例えば、円形又は四角形などの所定形状を均一に照射する平行光を射出するものである。このため、ある範囲、すなわち、ある一定の縦横の寸法でかつ均一光量の平行光を形成して射出する必要があり、これを簡単な構成で達成することができる。
【００４２】
［１−３．効果等］
以上のように、本実施の形態において、ミラー群３は、光源ユニット群２から射出された複数の光１３の進行方向に配置され、複数の光１３の第２方向Ｙの間隔を狭くしつつ光源ユニット群２から射出された複数の光１３を反射部３２で反射する反射ミラー３１が、複数の光１３の第１方向Ｘの間隔を狭くするように階段状に複数個配置されている。このように構成すれば、１つのミラー群３による構成で、光源ユニット１から射出された複数の光１３及び反射ミラー３１の第１方向Ｘ及び第２方向Ｙの両方の間隔を狭くしてプロジェクタ全体の小型化を図りつつ、平行光５２を形成することができる。すなわち、複数のミラー群ではなく、１つのミラー群３で構成するため、全体としてプロジェクタ９の構成を小さくすることができる。
【００４３】
また、反射ミラー３１で反射された反射光１４は、第２方向Ｙのみ集光されるため、ミラー群３にて反射後、シリンドリカルレンズ５１を用いて平行光５２を確実に得ることができる。シリンドリカルレンズ５１で平行光５２にした後、例えば、図示しない蛍光体集光レンズを通して集光させて、蛍光体を照射することができる。この結果、ミラー群３により各光源ユニット１からの光１３が集光されるため、蛍光体集光レンズを小径化することが可能となる。
【００４４】
（他の実施の形態）
以上のように、本出願において開示する技術の例示として、実施の形態１を説明した。しかしながら、本開示における技術は、これに限定されず、適宜、変更、置換、付加、省略などを行った実施の形態にも適用可能である。また、前記実施の形態１で説明した各構成要素を組み合わせて、新たな実施の形態とすることも可能である。
【００４５】
以上のように、本開示における技術の例示として、実施の形態を説明した。そのために、添付図面および詳細な説明を提供した。
【００４６】
したがって、添付図面および詳細な説明に記載された構成要素の中には、課題解決のために必須な構成要素だけでなく、前記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００４７】
また、上述の実施の形態は、本開示における技術を例示するためのものであるから、特許請求の範囲またはその均等の範囲において種々の変更、置換、付加、省略などを行うことができる。また、前記様々な実施形態又は変形例のうちの任意の実施形態又は変形例を適宜組み合わせることにより、それぞれの有する効果を奏するようにすることができる。また、実施形態同士の組み合わせ又は実施例同士の組み合わせ又は実施形態と実施例との組み合わせが可能であると共に、異なる実施形態又は実施例の中の特徴同士の組み合わせも可能である。
【産業上の利用可能性】
【００４８】
本開示は、１つのミラー群による構成で、光源ユニットから射出された複数の光及びミラーの間隔をより狭くしてプロジェクタ全体の小型化を図りつつ、平行光を形成することができるプロジェクタに適用可能である。具体的には、高輝度かつ高解像度プロジェクタのサイズ小型化などに、本開示は適用可能である。
【符号の説明】
【００４９】
１  光源ユニット
２  光源ユニット群
３  ミラー群
９  プロジェクタ
１１  レーザ光源
１２  レンズ
１３、１３ａ、１３ｂ  光
１３ｓ  スポット
１４、１４ａ、１４ｂ  反射光
３１  反射ミラー
３２  反射部
３２ａ  上側反射面
３２ｂ  下側反射面
５１  シリンドリカルレンズ
５２  平行光
５３  光軸
５５  集光位置
Ａｘ  射出面の幅
Ｂｘ  光源ユニットから第１ミラー群までの距離
Ｃｘ  間隔
Ｄｘ  径
ｄ  平行光の半径
Ｆ  シリンドリカルレンズの焦点距離
Ｘ  第１方向（行方向）
Ｙ  第２方向（列方向）
Ｚ  第３方向
θｆ  折り曲げ角
θｒ  光軸に対する反射光の傾斜角度
θｘ  発散角
【図１】
2017173717.tif 000003
【図２】
2017173717.tif 000004
【図３】
2017173717.tif 000005
【図４Ａ】
2017173717.tif 000006
【図４Ｂ】
2017173717.tif 000007
【図５】
2017173717.tif 000008
【図６Ａ】
2017173717.tif 000009
【図６Ｂ】
2017173717.tif 000010
【図７Ａ】
2017173717.tif 000011
【図７Ｂ】
2017173717.tif 000012
【図８Ａ】
2017173717.tif 000013
【図８Ｂ】
2017173717.tif 000014
【図９】
2017173717.tif 000015